(57)【特許請求の範囲】
【請求項１】
鉄皮によって形成されたドーム状の天井部を有する缶体の内側に耐食性レンガが内張されて形成された耐食性構造物の補修方法において、
前記缶体の内側から当該缶体の所定箇所にアンカーメタルを固定する工程と、
前記アンカーメタルを基点にして不定形キャスタブルを前記缶体に内張りされた前記耐食性レンガの全体に被覆する工程と、
を含み構成され、
前記被覆する工程では、前記缶体の天井部及び側壁部を施工した後、天井部と側壁部の間を施工することにより天井部と側壁部の間の前記不定形キャスタブルの落下を防ぐ
ことを特徴とする耐食性構造物の補修方法。
【請求項２】
請求項１に記載の耐食性構造物の補修方法において、
前記不定形キャスタブルは、常温で固化する耐酸耐水性セメント系キャスタブルであることを特徴とする耐食性構造物の補修方法。
【請求項３】
請求項１又は２に記載の耐食性構造物の補修方法において、
前記不定形キャスタブルは、硬化する前に落下しない厚みに施工することを特徴とする耐食性構造物の補修方法。
【請求項４】
請求項１から３のいずれか１項に記載の耐食性構造物の補修方法において、
前記耐食性構造物が、焼却処理設備に設けられた洗浄塔前室であることを特徴とする耐食性構造物の補修方法。
【発明の詳細な説明】
【技術分野】
【０００１】
本発明は、耐食性構造物の補修方法に関し、さらに詳しくは、鉄皮によって形成された缶体の内部に耐食性を備えた磁器レンガ等が内張された耐食性構造物の補修方法に関する。
【背景技術】
【０００２】
近年、パソコン、ＯＡ機器、あるいは携帯電話等を製造する電子部品製造業者や電子基板等の電子部品を利用した製品及び産業から発生するスクラップ類は年々増加を続けている。これらスクラップ類には、電気導体として使われる銅や、接点・メッキ皮膜等に使用された金、銀、白金、パラジウム等の貴金属が含まれており、これら有価金属の回収は資源のリサイクルによる省資源化を図るという観点からも極めて重要である。また、リチウム電池にはレアメタルの一つであるコバルトが使用されており、使用済みリチウムイオン電池をリサイクルすることにより高価で貴重なコバルト等を再利用することができる。そのため、上述のスクラップ類や使用済みリチウムイオン電池（以下、「貴金属スクラップ等」という。）は様々な方法によってリサイクルが行われている。
【０００３】
貴金属スクラップ等をリサイクルする方法としては、例えば図５に示すような焼却処理設備を利用した方法がある。すなわち、図示された焼却処理設備１は、貴金属スクラップ等Ｐをフォークリフトで定置炉１０に投入して加熱処理し、有価金属を含む焼却残渣１８を焼却Ｌｉイオン電池又は貴金属焼灰として回収する。一方、定置炉１０から排出される排ガスは２次燃焼炉１１において燃焼処理され、燃焼処理された排ガスは冷却塔１２において冷却され、さらに洗浄塔１３において排ガスに含まれる粒子等が取り除かれ、ガスクーラ１４及びミストコットレル１５を経て吸気ファン１６を介して脱臭塔１７によって最終処理されて大気へ放出される。また、冷却塔１２、洗浄塔１３、ガスクーラ１４及びミストコットレル１５にて使用された冷却水や洗浄水は排水処理設備１９において処理されて系外に放流される。
【０００４】
排ガスの処理を行う２次燃焼炉や冷却塔及び洗浄塔は鉄皮で形成された缶体の内部に耐食性を備えた磁器レンガを被覆して形成されているが、排ガスは腐食性のガスであり、操業の継続によって磁器レンガの腐食が進行する。そのため、腐食した部分は適宜補修を行う必要がある。そのような場合の補修方法として、例えば特許文献１に示すものがある。すなわち、長期間の稼動によって洗浄塔が腐食した場合にはその部分の外側からＮｉ合金を溶接等によって貼り付けることで補修を行うというものである。
【０００５】
その他、例えば洗浄塔前室の磁器レンガが腐食性のガスによって腐食し、缶体の腐食が進行したような場合には、缶体の腐食した部分の外側から鉄製のボックスを取り付け、このボックスを介して不定形キャスタブルを流し込むことにより補修を行う方法もある。
【０００６】
【特許文献１】特開平１０−８０６１８号公報
【発明の開示】
【発明が解決しようとする課題】
【０００７】
しかし、缶体の外側から腐食した部分のみを補修するという方法では、同じ場所が同じように腐食してしまい、腐食の進行を確実に止められない可能性が高い。また、排ガスは内張りされた磁器レンガのどの部分から入り込んで缶体を腐食させているかを特定することが困難であることから缶体の腐食部分を補修しても確実に補修できるとは限らないという問題がある。確実に補修が行われない場合には腐食が更に進行してしまい操業停止となるおそれがある。
【０００８】
そのため、完全に腐食を止めるには、缶体内に内張された磁器レンガを除去し（ハツリ）、製缶を行い、内部の磁器レンガを再施工することが考えられるが、このような補修を例えば洗浄塔前室について実施した場合、少なくとも１０日以上の操業停止が余儀なくされ、しかも工費も多大となる。
【０００９】
そこで、本発明は、従来のように耐食性構造物の外側からの補修ではなく内部からの補修であって、しかも補修期間が短く、且つ、工費も節約できることが可能な耐食性構造物の補修方法を提供することを目的とする。
【課題を解決するための手段】
【００１０】
上記課題を解決するために請求項１に記載の本発明は、鉄皮によって形成されたドーム状の天井部を有する缶体の内側に耐食性レンガが内張されて形成された耐食性構造物の補修方法において、前記缶体の内側から当該缶体の所定箇所にアンカーメタルを固定する工程と、前記アンカーメタルを基点にして不定形キャスタブルを前記缶体に内張りされた前記耐食性レンガの全体に被覆する工程とを含み構成され、前記被覆する工程では、前記缶体の天井部及び側壁部を施工した後、天井部と側壁部の間を施工することにより天井部と側壁部の間の前記不定形キャスタブルの落下を防ぐことを特徴とする。
【００１１】
上記課題を解決するために請求項２に記載の本発明は、請求項１に記載の耐食性構造物の補修方法において、前記不定形キャスタブルは、常温で固化する耐酸耐水性セメント系キャスタブルであることを特徴とする。
【００１２】
上記課題を解決するために請求項３に記載の本発明は、請求項１又は２に記載の耐食性構造物の補修方法において、前記不定形キャスタブルは、硬化する前に落下しない厚みに施工することを特徴とする。
【００１３】
上記課題を解決するために請求項４に記載の本発明は、請求項１から３のいずれか１項に記載の耐食性構造物の補修方法において、前記耐食性構造物が、焼却処理設備に設けられた洗浄塔前室であることを特徴とする。
【発明の効果】
【００１４】
本発明に係る耐食性構造物の補修方法によれば、缶体の内側から全体に不定形キャスタブルを被覆することとしたので腐食部分を確実に補修することができ、腐食の進行を確実に抑制することができるという効果がある。また、缶体の内部の劣化した耐食性レンガを取り除く必要がないので作業負担が少なく、しかも工期を短縮することができるのでコストも抑さえることができるという効果がある。
【００１５】
また、本発明に係る耐食性構造物の補修方法によれば、不定形キャスタブルを常温で固化する耐酸耐水性セメント系キャスタブルとしたので施工後短時間、例えば２４時間程度で固化することができ、操業停止の期間を短縮することができるという効果がある。また、耐食性構造物が洗浄塔前室である場合には洗浄塔において排ガスに散水した後の洗浄水が酸性となって流れ込んだ場合であっても不定形キャスタブルが腐食の進行を防止するので操業に支障をきたすことはないという効果がある。
【図面の簡単な説明】
【００１６】
【図１】本発明に係る耐食性構造物の補修方法の好ましい一実施形態のフローチャートである。
【図２】洗浄塔の概要を示す説明図である。
【図３】缶体にアンカーメタルを取り付けた状態を示す図である。
【図４】缶体の内側に不定形キャスタブルを被覆した状態を示す図である。
【図５】焼却処理設備の一例を示すブロック図である。
【発明を実施するための形態】
【００１７】
以下、本発明に係る耐食性構造物の補修方法について図面を参照しつつ詳細に説明する。図１は本発明に係る耐食性構造物の補修方法の好ましい一実施形態のフローチャートである。本実施形態では耐食性構造物として、焼却処理設備に設けられた洗浄塔前室を例にして説明する。
【００１８】
［洗浄塔の構成］
初めに、図５に示す焼却処理設備１における洗浄塔１３について説明する。洗浄塔１３は、図２に示すように洗浄塔本体１３ａと洗浄塔前室１３ｂによって構成されており、内部は空洞となっている。洗浄塔１３で洗浄処理される排ガスは８０〜１００℃の温度で浄塔前室１３ｂに導入される。洗浄塔前室１３ｂは、図３に示すように、缶体３０によって内部空間を有して形成され、缶体３０の内側には耐酸性である磁器レンガ３２が内張りされた耐食性構造物となっている。尚、符号２０は冷却塔１２からの排ガスを洗浄塔前室１３ｂへ導入するダクトであり、符号２１は洗浄塔本体１３ａで洗浄処理された排ガスをガスクーラ１４へ送るダクトである。ダクト２１はＦＲＰ製であり、洗浄塔本体１３ａの出口の排ガスの温度は約５０〜７０℃となるように管理されている。
【００１９】
［洗浄塔前室の補修方法］
操業の継続によって洗浄塔前室１３ｂに内張りされた磁器レンガ３２が劣化した場合には補修を行う必要がある。以下、洗浄塔前室１３ｂの補修方法について説明する。まず、図３に示すように、缶体３０の内側から缶体３０の所定箇所にアンカーメタル４０を固定する（ステップＳ１）。アンカーメタル４０は、後述する不定形キャスタブル３４を保持固定するために使用される耐熱性と耐酸性を備えた金物であり、例えば、Ｙ字型やＶ字型などがある。本実施形態では、磁器レンガ３２よりも内側にある缶体３０に取り付けることからＹ字型を用いることが好ましいが、これに限るものではない。また、Ｙ字型のアンカーメタル４０にさらに別のアンカーメタル４０を溶接などによって固定して不定形キャスタブルの保持固定をより強化することもできる。
【００２０】
アンカーメタル４０の固定は、例えば、洗浄塔前室１３ｂ内に内張りされている磁器レンガ３２が腐食によって崩落している部分に洗浄塔前室１３ｂの内側から缶体３０に溶接などによって固定したり、所定箇所の磁器レンガ３２に穴を穿設し、その穴を介してアンカーメタル４０を固定することができる。尚、アンカーメタル４０の取り付け位置や使用する数量は磁器レンガ３２の腐食の状態などによって適宜に決定される。
【００２１】
缶体３０の所定箇所にアンカーメタル４０を取り付け固定したら、図４に示すように、アンカーメタル４０を基点にして不定形キャスタブル３４を缶体３０の内側から吹き付けて缶体３０に内張りされた磁器レンガ３２の全体に被覆する（ステップＳ２）。使用する不定形キャスタブル３４は、常温で固化する耐酸耐水性セメント系キャスタブルを用いることができる。そのような耐酸耐水性セメント系キャスタブルとしては、例えば、ＡＧＣセラミックス株式会社製のＷＰＣ−１３０Ｇがある。この耐酸耐水性セメント系キャスタブルは、アルミナセメントが配合され、適量の水を加えて混練することで施工することができ、施工後約２４時間で固化し強度も確保できる。
【００２２】
このように、不定形キャスタブル３４として耐酸耐水性セメント系キャスタブルを使用するのは以下の理由による。すなわち、洗浄塔前室１３ｂに施工した不定形キャスタブル３４の乾燥は定置炉１０の昇温によって熱せられた排ガスによって行われるが、定置炉１０の昇温開始と同時に洗浄塔１３後段のＦＲＰダクトを保護するために洗浄塔本体１３ａで排ガスの冷却及び洗浄のための散水が開始される。散水された洗浄水は洗浄塔前室１３ｂに流入することから洗浄塔前室１３ｂに施工した不定形キャスタブル３４は定置炉１０の昇温開始前に硬化している必要がある。この点、耐酸耐水性セメント系キャスタブルは耐水性を備えると共に施工後常温にて約２４時間で固化するので施工した不定形キャスタブル３４が散水によって流されて施工不良を起こすことがない。また、洗浄塔前室１３ｂに流入する洗浄水は排ガスが酸性であることから洗浄水も酸性となる。そのため不定形キャスタブル３４も耐酸性であることが必要となる。
【００２３】
不定形キャスタブル３４は硬化する前に落下しない厚みに施工する。具体的には約５０ｍｍの厚みとなるように施工する。５０ｍｍを超えるような厚みで施工すると不定形キャスタブル３４が硬化する前に落下してしまい、施工不良となるおそれがあるからである。尚、不定形キャスタブル３４の施工順としては、先ずは天井部、次に側壁部分、そして、天井部と側壁部分の間の順に施工するとよい。天井部から順に側壁部に至る様に施工すると天井部と側壁部分の間の不定形キャスタブル３４とアンカーメタル４０との保持が弱くなり施工後に落下しやすくなるが、側壁部を施工した後に天井部と側壁部分の間を施工することでこの部分の不定形キャスタブル３４が側壁部分の不定形キャスタブル３４に支持された状態となるので落下しにくくなるためである。
【００２４】
缶体３０の内側に内張された磁器レンガ３２の全体を不定形キャスタブル３４で被覆したら不定形キャスタブル３４を硬化させる（ステップＳ３）。本実施形態で使用した不定形キャスタブル３４である耐酸耐水性セメント系キャスタブルは、上述のように、常温にて約２４時間で硬化する。これにより、耐食性構造物である洗浄塔前室１３ｂの補修作業が終了する。
【００２５】
以上のように、本発明の好ましい実施形態について詳述したが、本発明は詳述した特定の実施形態に限定されるものではなく、特許請求の範囲に記載された本発明の要旨の範囲内において、種々の変形・変更が可能であることはいうまでもない。
【符号の説明】
【００２６】
Ｐ  貴金属スクラップ等
１  焼却処理設備
１０  定置炉
１１  ２次燃焼炉
１２  冷却塔
１３  洗浄塔
１４  ガスクーラ
１５  ミストコットレル
１６  吸気ファン
１７  脱臭塔
１８  焼却残渣
１９  排水処理設備
２０  ダクト
２１  ダクト
３０  缶体
３２  磁器レンガ
３４  不定形キャスタブル（耐酸耐水性セメント系キャスタブル）
【図１】
0006491586.tif 000002
【図２】
0006491586.tif 000003
【図３】
0006491586.tif 000004
【図４】
0006491586.tif 000005
【図５】
0006491586.tif 000006